(57)【要約】【課題】住居内に残された居住者が防犯警報を鳴動させることなくスムーズに外出することができるインターホン装置を提供する。【解決手段】暗証番号入力部４０７に入力された暗証番号が予め設定された番号である場合、親機ＣＰＵ４０９は、防犯監視状態を一時的に解除し、所定の時間内に防犯センサ３０，３１，３２，３３が異常であることを防犯センサ検出部４０６が検出してもスピーカ４０１から防犯警報を鳴動せず、解除されてから所定の時間が経過した後に再度防犯監視状態に移行する。【選択図】図１
2011077752.tif 000002
【特許請求の範囲】
【請求項１】
居住者を呼び出す機能を備えた玄関子機と、前記玄関子機からの呼び出しに応答する機能を備えた居室親機と、前記玄関子機の近くに設置され、前記居住者が外出する際に防犯設定を行うためのキースイッチと、玄関ドアおよび窓の少なくとも一つに取り付けられ、その開閉状態を検出する防犯センサと、を備えるインターホン装置であって、
前記居室親機は、前記キースイッチによる防犯設定の状態を検出するキースイッチ検出部と、
前記防犯センサの状態を検出する防犯センサ検出部と、
前記キースイッチにより防犯設定がなされている状態である防犯監視状態を一時的に解除するための一時解除設定部と、を有しており、
前記防犯監視状態にある際に、前記一時解除設定部により前記防犯監視状態が一時的に解除された場合には、解除されてから所定の時間内に前記防犯センサが異常状態となっても正常状態を継続し、解除されてから所定の時間が経過した後に再度前記防犯監視状態に移行するようになっている、
インターホン装置。
【請求項２】
前記防犯監視状態にある際に、前記一時解除設定部により前記防犯監視状態が一時的に解除された場合には、解除されてから所定の時間内に前記防犯センサのうち特定の防犯センサが異常状態となった場合にのみ正常状態を継続し、解除されてから所定の時間が経過した後に再度前記防犯監視状態に移行するようになっている、
請求項１記載のインターホン装置。
【請求項３】
前記玄関子機は、居住者を呼び出すための呼出ボタンを有しており、
前記所定の時間内に前記呼出ボタンが規定の時間以上押された場合には、前記所定の時間が経過する前であっても再度前記防犯監視状態に移行するようになっている、
請求項１または２記載のインターホン装置。
【請求項４】
前記防犯センサは、少なくとも前記玄関ドアに取り付けられており、
前記所定の時間内に前記玄関ドアに取り付けられた前記防犯センサが、前記玄関ドアが一度開閉されたことを検知した場合には、前記所定の時間が経過する前であっても再度前記防犯監視状態に移行するようになっている、
請求項１ないし３のいずれかの項記載のインターホン装置。
【請求項５】
前記玄関子機は、スピーカを有しており、
前記一時解除設定部により前記防犯監視状態が一時的に解除された後、再度前記防犯監視状態に移行した場合に、前記玄関子機の前記スピーカから音により前記防犯監視状態に移行したことを通知するようになっている、
請求項１ないし４のいずれかの項記載のインターホン装置。
【請求項６】
前記玄関子機は、表示部を有しており、
前記一時解除設定部により前記防犯監視状態が一時的に解除された後、再度前記防犯監視状態に移行した場合に、前記玄関子機の前記表示部を点灯または点滅させることにより前記防犯監視状態に移行したことを通知するようになっている、
請求項１ないし５のいずれかの項記載のインターホン装置。
【請求項７】
前記一時解除設定部は、所定の特殊操作を行うことにより前記防犯監視状態を一時的に解除するようになっている、
請求項１ないし６のいずれかの項記載のインターホン装置。
【発明の詳細な説明】
【技術分野】
【０００１】
本発明は、玄関子機および居室親機を含むインターホン装置に関し、特に、外出時に行う施錠に連動して防犯設定を行い、防犯設定されている間に玄関ドアや窓等に取り付けられた防犯センサに異常があれば防犯警報を発するインターホン装置に関する。
【背景技術】
【０００２】
従来、居住者が外出する際、玄関ドアを施錠するのに連動して防犯設定されるインターホン装置が知られている。
このようなインターホン装置の一例として、玄関先に設置されたキースイッチで防犯設定を行うインターホン装置が存在する。すなわち、不審者の侵入を防ぐために、玄関ドアにはシリンダー錠が用いられることが多いが、キースイッチとはこのシリンダー錠を利用した防犯設定・解除のスイッチであり、例えば、キーを鍵穴に差し込み、一段右または左に回すと玄関ドアが施錠され、さらにもう一段同方向にキーを回すと防犯センサのスイッチがＯＮ状態となって防犯設定がなされるようになっている。
このようなキースイッチを用いたインターホン装置によれば、玄関ドアの施錠と防犯設定とを一回のキー操作で行うことができるため、利便性が高い。
【先行技術文献】
【特許文献】
【０００３】
【特許文献１】特開昭５６−０３１９７５号公報
【発明の概要】
【発明が解決しようとする課題】
【０００４】
このようなインターホン装置が設置されている住戸において複数の居住者が生活している場合、居住者のうちの一人がまだ住戸内に他の居住者がいるにも関わらず玄関ドアの施錠と共にキースイッチまで操作してしまい、防犯設定をして外出してしまうことがあり得る。
このようにキースイッチにより防犯設定を行った場合、防犯設定の解除は、玄関ドアに設置されたシリンダー錠において鍵穴に差し込んだキーを逆方向に回して行う必要がある。すなわち、キースイッチにより防犯設定を行った場合にはキースイッチにより防犯解除を行う必要がある。
このため、以上のような状況では、住居内に残された居住者が外出しようとする際、住戸内においては防犯設定の解除を行うことができないため、一度玄関ドアを開けて防犯警報を鳴動させ、キースイッチを操作して防犯設定を解除して防犯警報の鳴動を停止した後、再度キースイッチを操作して防犯設定を行う必要があった。
【０００５】
本発明は、以上のような点に鑑みてなされたものであり、住居内に残された居住者が防犯警報を鳴動させることなくスムーズに外出することができるインターホン装置を提供することを課題とするものである。
【課題を解決するための手段】
【０００６】
かかる課題を解決するため、本願発明者は、以下のようなインターホン装置を提案する。
【０００７】
本願のインターホン装置は、居住者を呼び出す機能を備えた玄関子機と、前記玄関子機からの呼び出しに応答する機能を備えた居室親機と、前記玄関子機の近くに設置され、前記居住者が外出する際に防犯設定を行うためのキースイッチと、玄関ドアおよび窓の少なくとも一つに取り付けられ、その開閉状態を検出する防犯センサと、を備えている。
このインターホン装置の居室親機は、前記キースイッチによる防犯設定の状態を検出するキースイッチ検出部と、前記防犯センサの状態を検出する防犯センサ検出部と、前記キースイッチにより防犯設定がなされている状態である防犯監視状態を一時的に解除するための一時解除設定部と、を有しており、前記防犯監視状態にある際に、前記一時解除設定部により前記防犯監視状態が一時的に解除された場合には、解除されてから所定の時間内に前記防犯センサが異常状態となっても正常状態を継続し、解除されてから所定の時間が経過した後に再度前記防犯監視状態に移行するようになっている。
【０００８】
このようなインターホン装置によれば、防犯設定の一時解除ができるようになっており、この一時解除が居室内にある居室親機の一時解除設定部で行うことができるので、住居内に残された居住者が外出する際にわざわざ玄関ドアを開けて防犯警報を鳴動させ、キースイッチを操作して防犯設定を解除する必要がない。また、一時解除設定部により防犯監視状態が一時的に解除された場合には、解除されてから所定の時間内に防犯センサが異常状態となっても正常状態を継続するようになっているので、一時解除してから所定の時間内に外出すれば、防犯警報を鳴動させることなく、スムーズに外出することができる。
また、上記インターホン装置によれば、防犯監視状態が一時的に解除された場合には、解除されてから所定の時間が経過した後に自動的に再度防犯監視状態に移行するようになっているので、住居内に残された居住者は外出時に再度の防犯設定をする必要がなく、スムーズに外出することができる。
【０００９】
以上のインターホン装置は、前記防犯監視状態にある際に、前記一時解除設定部により前記防犯監視状態が一時的に解除された場合には、解除されてから所定の時間内に前記防犯センサのうち特定の防犯センサが異常状態となった場合にのみ正常状態を継続し、解除されてから所定の時間が経過した後に再度前記防犯監視状態に移行するようになっていてもよい。
このようなインターホン装置によれば、一時解除設定部により防犯監視状態が一時的に解除された場合には、解除されてから所定の時間内に、防犯センサのうち特定の防犯センサ（例えば玄関ドアに取り付けられた防犯センサ）が異常状態となった場合にのみ正常状態を継続するようになっているので、特定の防犯センサ以外の防犯センサ（例えば窓等に取り付けられた防犯センサ）は防犯監視状態が一時的に解除された場合であっても防犯監視状態にあるため、よりセキュリティを高めることができる。
【００１０】
前記玄関子機は、居住者を呼び出すための呼出ボタンを有しており、前記所定の時間内に前記呼出ボタンが規定の時間以上押された場合には、前記所定の時間が経過する前であっても再度前記防犯監視状態に移行するような構成としてもよい。
このような構成のインターホン装置によれば、外出する居住者は、所定の時間内に呼出ボタンを規定の時間以上押すことで所定の時間内であっても即時防犯監視状態に移行させることができる。すなわち、居住者が外出するタイミングに合わせてすぐに防犯監視状態に移行させることができるので、よりセキュリティを高めることができる。
【００１１】
前記防犯センサは、少なくとも前記玄関ドアに取り付けられており、前記所定の時間内に前記玄関ドアに取り付けられた前記防犯センサが、前記玄関ドアが一度開閉されたことを検知した場合には、前記所定の時間が経過する前であっても再度前記防犯監視状態に移行するような構成としてもよい。
このような構成のインターホン装置によれば、居住者が外出するタイミングに合わせてすぐに防犯監視状態に移行させることができるので、よりセキュリティを高めることができるとともに、防犯監視状態に移行させるのに居住者が何も行う必要がないため、利便性が高い。
【００１２】
前記玄関子機は、スピーカを有しており、前記一時解除設定部により前記防犯監視状態が一時的に解除された後、再度前記防犯監視状態に移行した場合に、前記玄関子機の前記スピーカから音により前記防犯監視状態に移行したことを通知するようになっていてもよい。
このような構成のインターホン装置によれば、居住者は、防犯監視状態に移行したことを確認した上で外出することができる。
【００１３】
前記玄関子機は、表示部を有しており、前記一時解除設定部により前記防犯監視状態が一時的に解除された後、再度前記防犯監視状態に移行した場合に、前記玄関子機の前記表示部を点灯または点滅させることにより前記防犯監視状態に移行したことを通知するようになっていてもよい。
このような構成のインターホン装置によっても、居住者は、防犯監視状態に移行したことを確認した上で外出することができる。
【００１４】
前記一時解除設定部は、所定の特殊操作を行うことにより前記防犯監視状態を一時的に解除するようになっていてもよい。
このような構成のインターホン装置によれば、防犯監視状態を一時的に解除するのに暗証番号の入力等の所定の特殊操作が必要であるため、セキュリティを高めることができる。
【発明の効果】
【００１５】
本発明によれば、住居内に残された居住者が防犯警報を鳴動させることなくスムーズに外出することができ、再度の防犯設定が容易なインターホン装置を提供することができる。
【図面の簡単な説明】
【００１６】
【図１】本実施形態のインターホン装置の全体構成を示すブロック図。
【図２】本実施形態のインターホン装置において防犯設定の一時解除を行う際のフローチャート。
【発明を実施するための形態】
【００１７】
以下、本発明のインターホン装置の好ましい一実施形態を、図面を参照しながら詳細に説明する。
【００１８】
この実施形態によるインターホン装置１は、概略で図１に示したように構成される。すなわち、このインターホン装置１は、来訪者が居住者を呼び出すために用いられ、主に住戸の玄関に設置される玄関子機１０と、キースイッチ２０と、防犯センサ３０，３１，３２，３３と、玄関子機１０からの呼び出しに応答するために用いられ、その住戸内に設置される居室親機４０とを含んでいる。
【００１９】
以下、カメラ付き玄関子機１０、キースイッチ２０、防犯センサ３０，３１，３２，３３、および居室親機４０の各構成について説明する。
【００２０】
まず、玄関子機１０の構成を説明する。この玄関子機１０は、図１に示すように、来訪者が居住者を呼び出すための呼び出しボタン１０１、居住者と通話するための子機マイク１０２および子機スピーカ１０３、子機マイク１０２および子機スピーカ１０３を用いて居住者と通話を行うための通話回路１０４、ＬＥＤ等の発光体からなる表示部１０５、および玄関子機１０の各部を制御するための子機ＣＰＵ（図示しない）を備える。
【００２１】
キースイッチ２０は、玄関子機１０の近くに設置され、居住者が外出・帰宅する際に防犯設定・解除を行うためのスイッチである。このキースイッチ２０は、玄関ドアの施錠に使用されるキーと同じキーを使用することにより、防犯設定・解除されるようになっている。具体的には、このキーを玄関ドアのシリンダー錠の鍵穴に差し込み、一段右または左に回すと玄関ドアが施錠され、さらにもう一段同方向にキーを回すと防犯センサのスイッチがＯＮ状態となって防犯設定がなされる。
【００２２】
防犯センサ３０，３１，３２，３３は、住戸内の玄関ドアや窓等の開閉できる場所に取り付けられ、その開閉状態を検出するセンサである。この防犯センサは、本実施形態では、防犯センサ３０は玄関ドアに取り付けられ、防犯センサ３１，３２，３３はそれぞれ異なる窓に取り付けられているものとして説明するが、これに限られず、玄関ドアおよび窓の少なくとも一つに取り付けられていればよい。
【００２３】
居室親機４０は、玄関子機１０の子機マイク１０２および子機スピーカ１０３と通話するための親機マイク４０１および親機スピーカ４０２、親機マイク４０１および親機スピーカ４０２を用いて来訪者と通話を行うための通話回路４０３、呼び出しボタン１０１による呼び出しを検出する呼出検出部４０４、キースイッチ２０による防犯設定の状態を検出するキースイッチ検出部４０５、各防犯センサ３０，３１，３２，３３の状態を検出する防犯センサ検出部４０６、キースイッチ２０により防犯設定がなされている状態である防犯監視状態を一時的に解除するためのものであって、予め設定された暗証番号を入力するための暗証番号入力部４０７、玄関子機１０の表示部１０５の点灯・消灯を制御する表示出力部４０８、および居室親機４０の各部を制御するための親機ＣＰＵ４０９を備える。
【００２４】
以上のように構成されたインターホン装置１の防犯設定は、居住者が外出する際、玄関子機１０の近くに設置されたキースイッチ２０を操作することにより行うようになっている。具体的には、上述したように、外出する居住者がキーを玄関ドアの外側に設けられた鍵穴に差し込み、二段階右または左に回すことで防犯センサのスイッチがＯＮ状態となって防犯設定がなされるようになっている。
キースイッチ２０により防犯設定がなされると防犯監視状態となり、玄関ドアや窓等に取り付けられた防犯センサ３０，３１，３２，３３のいずれかに、窓が割られた、開いた等の異常を居室親機４０の防犯センサ検出部４０６が検出した場合、親機ＣＰＵ４０９は通話回路４０３を介してスピーカ４０１から防犯警報を鳴動し、留守時のセキュリティが確保されるようになっている。
【００２５】
上述のように、このようなインターホン装置１が設置されている住戸において複数の居住者が生活している場合、居住者のうちの一人がまだ住戸内に他の居住者がいるにも関わらず玄関ドアの施錠と共にキースイッチ２０まで操作してしまい、防犯設定をして外出してしまうことがある。
以下、住居内に残された居住者が外出する場合の手順およびこれに伴うインターホン装置の動作について、図２のフローチャートを参照しながら説明する。
【００２６】
防犯監視状態のもと、住居内に残された居住者が外出したい場合、居住者は、居室親機４０の暗証番号入力部４０７に暗証番号を入力する（ＳＴ６０１）。
暗証番号入力部４０７に入力された暗証番号が予め設定された番号である場合（ＳＴ６０１：Ｙｅｓ）、親機ＣＰＵ４０９は、防犯監視状態を一時的に解除し（ＳＴ６０２）、所定の時間（例えば５分）内に防犯センサ３０，３１，３２，３３が異常であることを防犯センサ検出部４０６が検出してもスピーカ４０１から防犯警報を鳴動させないよう制御を行う。なお、親機ＣＰＵ４０９は、暗証番号入力部４０７に入力された暗証番号が予め設定された番号でない場合には、暗証番号入力部４０７に暗証番号が入力されない場合と同様、防犯監視状態を継続する（ＳＴ６０１：Ｎｏ）。
居住者は、この防犯監視状態が一時的に解除された所定の時間内に外出する。
このように、本実施形態のインターホン装置１によれば、防犯設定の一時解除ができるようになっており、この一時解除が居室内にある居室親機４０の暗証番号設定部４０７で行うことができるので、住居内に残された居住者が外出する際にわざわざ玄関ドアを開けて防犯警報を鳴動させ、キースイッチ２０を操作して防犯設定を解除する必要がない。また、暗証番号入力部４０７により防犯監視状態が一時的に解除された場合には、解除されてから所定の時間内に防犯センサが異常状態となっても正常状態を継続するようになっているので、一時解除してから所定の時間内に外出すれば、防犯警報を鳴動させることなく、スムーズに外出することができる。
なお、親機ＣＰＵ４０９は、以上のように防犯設定が一時解除された場合、防犯設定が開始された際から点灯していた玄関子機１０の表示部１０５を消灯させるよう居室親機４０の表示出力部４０８を制御する。
そして、親機ＣＰＵ４０９は、解除されてから所定の時間が経過した場合（ＳＴ６０３：Ｙｅｓ）、再度一時解除前の防犯監視状態に移行するよう制御を行う（ＳＴ６０４）。また、親機ＣＰＵ４０９は、再度防犯監視状態に移行した場合、居室親機４０の通話回路４０３および玄関子機１０の通話回路１０４を介して玄関子機１０のスピーカ１０３から「警備設定、開始します。」等のメッセージを流すよう制御するとともに、居室親機４０の表示出力部４０８を制御し、玄関子機１０の表示部１０５を点灯させる。
このように、このインターホン装置１によれば、防犯監視状態が一時的に解除された場合には、解除されてから所定の時間が経過した後に自動的に再度防犯監視状態に移行するようになっているので、住居内に残された居住者は外出時に再度の防犯設定をする必要がなく、スムーズに外出することができる。また、メッセージを流すとともに表示部１０５を点灯させることにより、外出しようとする居住者に防犯監視状態に移行したことを聴覚的、視覚的に通知するようになっているので、居住者は、再度防犯監視状態に移行したことを確認した上で外出することができる。
【００２７】
本実施形態のインターホン装置１は以上のようなものとして説明したが、防犯監視状態にある際に、居住者により暗証番号入力部４０７に予め設定された番号が入力されることにより防犯監視状態が一時的に解除された場合、解除されてから所定の時間内に玄関ドアに取り付けられた防犯センサ３０が異常であることを防犯センサ検出部４０６が検出した場合にのみスピーカ４０１から防犯警報を鳴動させず、解除されてから所定の時間が経過した後に再度防犯監視状態に移行するように構成してもよい。
このように構成すれば、暗証番号入力部４０７の操作により防犯監視状態が一時的に解除された場合には、居住者が外出するために開閉する玄関ドア以外の防犯センサは防犯監視状態が一時的に解除された場合であっても防犯監視状態にあるため、よりセキュリティを高めることができる。
【００２８】
また、玄関ドアから外に出た居住者が、防犯監視状態が一時的に解除されてから所定の時間が経過する前に呼出ボタンを規定の時間（例えば５秒）以上押下した場合、所定の時間が経過する前であっても再度防犯監視状態に移行するように構成してもよい。
このように構成すれば、外出する居住者は、所定の時間内に呼出ボタンを規定の時間以上押すことで所定の時間内であっても即時防犯監視状態に移行させることができる。すなわち、居住者が外出するタイミングに合わせてすぐに防犯監視状態に移行させることができるので、よりセキュリティを高めることができる。
【００２９】
さらに、防犯監視状態が一時的に解除されてから所定の時間が経過する前に玄関ドアに取り付けられた防犯センサ３０が、玄関ドアが一度開閉されたことを検知した場合には、所定の時間が経過する前であっても再度防犯監視状態に移行するように構成してもよい。
このように構成すれば、上記と同様、居住者が外出するタイミングに合わせてすぐに防犯監視状態に移行させることができるので、よりセキュリティを高めることができるとともに、防犯監視状態に移行させるのに居住者が何も行う必要がないため、利便性が高い。
【００３０】
なお、上述した実施形態では、暗証番号入力部４０７に予め設定された暗証番号を入力することにより防犯設定の一時解除を行うような構成となっているが、これに限られず、例えば一時解除ボタンを押せば防犯設定の一時解除が行われるような構成としてもよい。
【００３１】
また、上述した実施形態では、再度防犯監視状態に移行した場合、居室親機４０の通話回路４０３および玄関子機１０の通話回路１０４を介して玄関子機１０のスピーカ１０３から「警備設定、開始します。」等のメッセージが流れるとともに、玄関子機１０の表示部１０５が点灯するような構成となっているが、メッセージまたは表示部の点灯のいずれか一方のみによって再度防犯監視状態に移行したことを知らせるような構成としてもよいし、どちらによる報知もないような構成としてもよい。また、玄関子機１０の表示部１０５を点灯させるのではなく、点滅させるような構成としてもよい。
【符号の説明】
【００３２】
１・・インターホン装置、１０・・カメラ付き玄関子機、２０・・キースイッチ、３０，３１，３２，３３・・防犯センサ、４０・・居室親機、１０１・・呼出ボタン、１０２，４０２・・マイク、１０３，４０１・・スピーカ、１０４，４０３・・通話回路、４０４・・呼出検出部、４０５・・キースイッチ検出部、４０６・・防犯センサ検出部、４０７・・暗証番号入力部、４０８・・表示出力部、４０９・・親機ＣＰＵ。
【図１】
2011077752.tif 000003
【図２】
2011077752.tif 000004